(57)【特許請求の範囲】
【請求項１】
液体を吸い取る第１の吸液部材と、
前記吸液部材に取り付けられた筒状の貯留部材と、
前記第１の吸液部材に接触するように前記貯留部材内に装填され、前記液体を吸着する第２の吸液部材とを備え、
前記第１及び第２の吸液部材が異方向性の吸水スポンジから構成され、
前記吸水スポンジが一の方向から圧縮されて乾燥した状態及び、当該吸水スポンジが一の方向へ延びて膨潤した状態の２つの姿態を有する洗浄吸液具。
【請求項２】
前記第１の吸液部材を構成する吸水スポンジが一の方向へ延びて膨潤した状態において、当該吸水スポンジを貫通する窓部が設けられる請求項１に記載の洗浄吸液具。
【請求項３】
前記貯留部材は内部が透けて見える管素材から構成される請求項１に記載の洗浄吸液具。
【請求項４】
前記管素材は、可逆性及び可撓性の少なくともいずれか一方の性質を有したフレキシブル管から構成される請求項３に記載の洗浄吸液具。
【請求項５】
前記管素材内には乾燥圧縮状態の複数の吸水スポンジがその異方向性を揃えて装填される請求項４に記載の洗浄吸液具。
【請求項６】
吸水スポンジを所定の大きさに加工し、当該吸水スポンジを圧縮乾燥し固形化して異方向性の先端部用の吸液部材を形成する工程と、
一方で、前記吸水スポンジを所定の大きさに加工し、当該吸水スポンジを圧縮乾燥し固形化して異方向性の貯留部用の吸液部材を形成する工程と、
前記貯留部用の吸液部材を筒状の貯留部材内に装填する工程と、
前記先端部用の吸液部材を前記貯留部用の吸液部材に接触するようにして前記貯留部材に取り付ける工程とを有する洗浄吸液具の製造方法。
【発明の詳細な説明】
【技術分野】
【０００１】
本発明は、顕微鏡を使用して行う眼科手術や外科手術等（以下単に手術という）において、その手術中に生じる血液や、該当患部の洗浄等に使用された洗浄水を吸い取る医療用の洗浄スポンジ具に適用可能な洗浄吸液具及びその製造方法に関するものである。
【背景技術】
【０００２】
従来から、顕微鏡を使用して行う眼科的手術等を行う際に、その手術中に生じる血液や、該当患部の洗浄等により使用する洗浄液などが、視認性を著しく低下させることが多い。このため、手術の途中で頻繁にそれらの血液や洗浄液を洗浄スポンジ具等で除去しながら手術を行っている。例えば、現在の眼科手術に用いられている洗浄スポンジ具は、シャフト先端に取り付けられた吸水スポンジが液体を含むことで膨脹する性質を利用したものである。
【０００３】
図９Ａは従来例に係る洗浄スポンジ具４００の構成例を示す平面図であり、図９Ｂ及び図９Ｃは洗浄スポンジ具４００の使用前後の状態例を示すＸ２−Ｘ２矢視断面図である。図９Ａに示す洗浄スポンジ具４００は先端スポンジ部４１及び楊枝程度の長さを有する持ち手部４４を備えている。持ち手部４４は係合部４２及び棒状部４３を有している。使用前の先端スポンジ部４１は圧縮・乾燥・固形化されて三角形状に成形され、図９（Ｂ）に示すように持ち手部４４の係合部４２に取り付けられている。
【０００４】
洗浄スポンジ具４００の使用後の形状は液体を吸い取って、図９（Ｂ）に示した圧縮・乾燥・固形化の状態から図９（Ｃ）に示すようなちり取り状に膨潤され、厚みを有した立体構造となる。施術者は、例えば、眼球に表面に沿って洗浄スポンジ具４００を滑らせる感じで洗浄水を吸い取るようになされる。
【０００５】
洗浄スポンジ具４００の使用方法としては、吸水用としてだけでなく、屈折矯正手術の際には、角膜の一部を用いて表面にフラップ(蓋)を作成し、レーザーによって蒸散した角膜に再び戻す際、戻した角膜フラップで表面にシワをつくらないよう延ばして行くハケの代わりとして、液体を含んで柔らかくなった洗浄スポンジを使用される場合がある。
【０００６】
なお、吸水スポンジを利用した洗浄吸液具に関して、特許文献１にはレーザー角膜切除屈折矯正手術のための吸水装置が開示されている。この吸水装置は手持ち部と鎌状部分とを有し、鎌状部分にはスポンジが取り付けられている。
【先行技術文献】
【特許文献】
【０００７】
【特許文献１】米国特許第6,514,223号公報
【発明の概要】
【発明が解決しようとする課題】
【０００８】
ところで、特許文献１や従来例に係る洗浄スポンジ具４００等によれば、次のような問題がある。   
ｉ．洗浄スポンジ具４００の吸水量は膨潤時の先端スポンジ部４１の体積に依存し、その吸水率が０．２ｍｌ〜０．３ｍｌ程度である。このため、わずかな血液や液体であれば吸水できるが、術後の患部の洗浄等の吸水においては、１本の洗浄スポンジ具４００による吸水量では間に合わない場合がある。このため、眼科手術において、何本もの洗浄スポンジ具４００が必要となるという問題がある。特許文献１に見られる吸水装置についても同様な問題がある。
【０００９】
ii．特許文献１の吸水装置や洗浄スポンジ具４００等によれば、使用中の先端スポンジ部４１が、今どの程度まで吸水し、あとどの程度まで吸水できるかを把握できていないのが実状である。今、使用している洗浄スポンジ具４００の吸水量が限界となり、液体を含まなくなった状態で判断するしか方法が無い。このため、手術の途中であっても洗浄スポンジ具４００を交換しなければならないという不便さがある。
【００１０】
iii．因みに、上述の課題を解決するために、洗浄スポンジ具４００で吸水した液体をポンプ等で別の場所に移動させるという方法が考えられるが、洗浄スポンジ具４００から液体を移動させるためのホースや、チューブ等が必要となる。このため、著しく洗浄スポンジ具４００の動作性が低下してしまうだけでなく、他の器具や機器と同じ場所に置いた場合、そのホースまたはチューブ等が邪魔になるという新たな問題がある。
【００１１】
そこで、本発明はこのような課題を解決したものであって、従来方式の洗浄スポンジ具に比べて数倍の液体を吸収できるようにすると共に、手術中の洗浄スポンジ具の交換回数を大幅に低減できるようにした洗浄吸液具及びその製造方法を提供することを目的とする。
【課題を解決するための手段】
【００１２】
上述の課題を解決するために、請求項１に記載の洗浄吸液具は、液体を吸い取る第１の吸液部材と、前記吸液部材に取り付けられた筒状の貯留部材と、前記第１の吸液部材に接触するように前記貯留部材内に装填され、前記液体を吸着する第２の吸液部材とを備え、前記第１及び第２の吸液部材が異方向性の吸水スポンジから構成され、前記吸水スポンジが一の方向から圧縮されて乾燥した状態及び、当該吸水スポンジが一の方向へ延びて膨潤した状態の２つの姿態を有するものである。
【００１３】
請求項１に係る洗浄吸液具によれば、第１の吸液部材から吸着した液体を貯留部材内に蓄積できるようになるので、従来方式の洗浄吸液具に比べて数倍の液体を吸収できるようになる。
【００１６】
請求項２に記載の洗浄吸液具は請求項１において、前記第１の吸液部材を構成する吸水スポンジが一の方向へ延びて膨潤した状態において、当該吸水スポンジを貫通する窓部が設けられるものである。
【００１７】
請求項３に記載の洗浄吸液具は請求項１において、前記貯留部材は内部が透けて見える管素材から構成されるものである。
【００１８】
請求項４に記載の洗浄吸液具は請求項３において、前記管素材は、可逆性及び可撓性の少なくともいずれか一方の性質を有したフレキシブル管から構成されるものである。
【００１９】
請求項５に記載の洗浄吸液具は請求項４において、前記管素材内には乾燥圧縮状態の複数の吸水スポンジがその異方向性を揃えて装填されるものである。
【００２０】
請求項６に記載の洗浄吸液具の製造方法は、吸水スポンジを所定の大きさに加工し、当該吸水スポンジを圧縮乾燥し固形化して異方向性の先端部用の吸液部材を形成する工程と、一方で、前記吸水スポンジを所定の大きさに加工し、当該吸水スポンジを圧縮乾燥し固形化して異方向性の貯留部用の吸液部材を形成する工程と、前記貯留部用の吸液部材を筒状の貯留部材内に装填する工程と、前記先端部用の吸液部材を前記貯留部用の吸液部材に接触するようにして前記貯留部材に取り付ける工程とを有するものである。
【発明の効果】
【００２１】
請求項１に係る洗浄吸液具によれば、第１の吸液部材に接触するように第２の吸液部材が貯留部材内に装填され、液体を吸着するようになされる。また、液体を含んだ第１及び第２の吸液部材を貯留部材の一の方向へ膨潤させることができ、貯留部材の一の方向へ液体を円滑に移動できるようになる。
【００２２】
この構成によって、第１の吸液部材から吸着した液体を貯留部材によって蓄積できるので、従来方式の洗浄吸液具に比べて数倍の液体を吸収できるようになる。これにより、手術中の洗浄スポンジ具の交換回数を大幅に低減できるようになる。もちろん、顕微鏡手術において、視線をあまり術野から大きく外すことがなくなるという効果もある。
【００２３】
請求項６に係る洗浄吸液具の製造方法によれば、圧縮乾燥し固形化された異方向性の貯留部用の吸液部材を筒状の貯留部材に装填した後、圧縮乾燥し固形化された異方向性の先端部用の吸液部材が、当該貯留部用の吸液部材に接触するように貯留部材に取り付けるようになされる。
【００２４】
この構成によって、先端部用の吸液部材から吸着した液体を貯留部材内に蓄積可能な洗浄吸液具を再現性良く製造できるようになる。これにより、顕微鏡を使用して行う眼科手術等において、その手術中に生じる血液や、該当患部の洗浄等に使用された洗浄水を大量に吸い取り可能な洗浄スポンジ具を提供できるようになる。
【図面の簡単な説明】
【００２５】
【図１】本発明に係る実施形態としての洗浄スポンジ具１００の構成例を示す斜視図である。
【図２】洗浄スポンジ具１００の機能例を示す斜視図である。
【図３】（Ａ）〜（Ｄ）は洗浄スポンジ具１００の形成例を示す工程図である。
【図４】（Ａ）〜（Ｃ）は洗浄スポンジ具１００の使用前後の状態例を示す平面図及びＸ１−Ｘ１矢視断面図である。
【図５】（Ａ）〜（Ｄ）は洗浄スポンジ具１００の吸水量の確認例を示す断面図である。
【図６】洗浄スポンジ具１００内の液体の排出例を示す断面図である。
【図７】（Ａ）及び（Ｂ）は、変形例としての洗浄スポンジ具２００の構成例を示す断面図である。
【図８】（Ａ）及び（Ｂ）は、他の変形例としての洗浄スポンジ具３００の構成例を示す断面図である。
【図９】（Ａ）〜（Ｃ）は、従来例に係る洗浄スポンジ具４００の構成例を示す平面図及び使用前後のＸ２−Ｘ２矢視断面図である。
【発明を実施するための形態】
【００２６】
以下、図面を参照しながら、本発明に係る洗浄吸液具及びその製造方法について、その説明をする。図１に示す洗浄スポンジ具１００は洗浄吸液具の一例を構成し、顕微鏡を使用して行う眼科手術等において、その手術中に生じる血液や、該当患部の洗浄等に使用された洗浄水（廃棄水）を吸い取るものである。
【００２７】
洗浄スポンジ具１００は先端スポンジ部１１、手持ち部１２及び貯留スポンジ部１３を有している。先端スポンジ部１１は第１の吸液部材の一例を構成し、手術中に生じた血液や、該当患部を洗浄した後の洗浄廃水等の液体（水分）を吸い取るものである。先端スポンジ部１１は使用前の状態、すなわち、液体を吸っていない乾燥し、固形化された状態であり、図１に示すような例えば、二等辺三角形に等しい形状を有している。もちろん、固形化された形状は二等辺三角形に限られることはなく、正三角形であってもよい。
【００２８】
先端スポンジ部１１には手持ち部１２が取り付けられる。手持ち部１２は貯留部材の一例を構成し、細長い筒状（ストロー状）を有しており、従来方式の楊枝状の持ち手を太く空洞化したものである。この例では、手持ち部１２が吸水タンクとして機能する他、当該手持ち部１２の中で先端から吸水した液体を後方へ移動するようになされる。図中、Ｌは手持ち部１２の長さであり、φはその内径である。手持ち部１２の終端は絞り加工となされ、その終端部には排出口１５が設けられている。
【００２９】
手持ち部１２内には先端スポンジ部１１に接触するように貯留スポンジ部１３が装填されている。貯留スポンジ部１３は第２の吸液部材の一例を構成し、液体を吸着するものである。貯留スポンジ部１３は先端スポンジ部１１が吸水した液体等を別の場所に移動させるために設けられる。
【００３０】
貯留スポンジ部１３は使用前の状態、すなわち、先端スポンジ部１１と同様にして、液体を吸っていない乾燥し、固形化された状態であり、図３に示すような例えば、円柱状（コイン状）を有している。もちろん、固形化された形状はコイン状に限られることはなく、手持ち部１２の内径にほぼ等しい形状であればよい。図中、ｘｙｚ座標系のｘは手持ち部１２の管軸方向であり、ｙはその半径方向であり、ｚはｘ，ｙ方向と直交する方向である。
【００３１】
図２に示す洗浄スポンジ具１００は液体を吸い取って膨潤した状態である。図中、血液や洗浄廃水等の液体（符号は図示せず）を吸った部分を梨地で示している。図２において、先端スポンジ部１１及び貯留スポンジ部１３は異方向性の吸水スポンジから構成される。吸水スポンジの多くは、乾燥状態のものに液体を含ませると(吸水させると)一定方向（等方向）に膨潤する性質を持つ。
【００３２】
この膨潤方向の性質を利用して、貯留スポンジ部１３を手持ち部１２内で後方に膨潤するように設置する。異方向性の貯留スポンジ部１３は、通常（等方向性）の吸水スポンジ素材から長尺円柱状に切り出した吸水スポンジ素材を、一端に終端部を有した管素材に装填して他方の側から圧縮し乾燥・固定化することで、容易に作成される。このように一方向から圧縮され乾燥・固定化された吸水スポンジは、液体（水）を含む又は乾燥・固定化を解くと一方の方向に膨らみ長尺円柱状の吸水スポンジ素材に戻るようになる。この性質を利用することにより、液体を含んだ貯留スポンジ部１３を手持ち部１２の後方（一の方向）へ膨潤させることができ、手持ち部１２の後方へ液体を円滑に移動できるようになる。
【００３３】
続いて、図３（Ａ）〜（Ｄ）を参照して、洗浄スポンジ具１００の製造方法について説明をする。この例では、図１に示したような洗浄スポンジ具１００を製造する場合を前提とする。
【００３４】
まず、図３（Ａ）に示す先端スポンジ部１１を準備する。例えば、吸水スポンジ素材を所定の大きさに加工する。この例では、水を吸っていない状態で、側面から見ると変形六角形（鍬状）で、上面から見ると二等辺三角形となる斜面付きの三角柱状の先端部１１ａと、この先端部１１ａの後面側に円柱状の取り付け部１１ｂとを一体化した立体構造の先端スポンジ部１１を形成する。立体構造の先端スポンジ部１１は型抜き加工機又は成形加工機を使用して形成する。取り付け部１１ｂは手持ち部１２の内径にほぼ等しい外径となるように円柱状に加工する。
【００３５】
次に、図３（Ａ）に示した立体構造の先端スポンジ部１１を圧縮し乾燥し固形化して、図３（Ｂ）に示すような異方向性の先端スポンジ部１１を形成する。吸水スポンジ素材の固形化には眼球にとって無害な水溶性の糊を使用する。先端部１１ａはｚ方向で圧縮し乾燥し固形化する。取り付け部１１ｂは、ｚ方向と直交するｘ方向で圧縮し乾燥し固形化する。これは、取り付け部１１ｂの吸水スポンジをｘ方向に膨潤させるためである。異方向性の先端スポンジ部１１は、挟持方向及び押圧方向が異なった圧縮機能を有したプレス加工機を使用することで容易に形成することが可能となる。
【００３６】
なお、取り付け部１１ｂのｘ方向での圧縮・乾燥・固形化工程は省略し、水を吸っていない状態の円柱状のままにしておいてもよい。また、上述した先端部１１ａと取り付け部１１ｂとの一体化加工が難しければ、三角形の先端部１１ａと取り付け部１１ｂとの双方に串刺し可能な細めのチューブを付け加え（差し込み）、当該チューブの毛管現象を利用するようにしてもよい。
【００３７】
次に、図３（Ｃ）に示す手持ち部１２に貯留スポンジ部１３を取り付ける。手持ち部１２には一端が開放口１６とされ、他端が絞り加工され、この絞り部位に排出口１５を有したものを準備する。手持ち部１２の管素材には可逆性及び可撓性の少なくともいずれか一方の性質を有したフレキシブル管を使用するとよい。手持ち部１２にはストロー素材等の樹脂パイプが使用でき、内部が観察（視認）可能な透明性の素材であればなおよい。
【００３８】
一方で、吸水スポンジ素材を所定の大きさに加工して貯留スポンジ部１３を形成する。この例では、水を吸っていない状態の吸水スポンジ素材を細長い円柱状に加工する。例えば、水を含んだ貯留スポンジ部１３が膨潤し、後方に移動し易いように、手持ち部１２の内径よりもわずかに小さい外径となるように吸水スポンジ素材を切り出す。この寸法取りは、貯留スポンジ部１３を手持ち部１２（外筒）に挿入し易いように、かつ、それが膨らみ易いように、そして、それを絞り易いようにするためである。貯留スポンジ部１３の長さは、例えば、水を吸っていない状態で２０ｍｍ程度とする。
【００３９】
この例では、長さＬ＝６ｃｍの手持ち部１２に３個の貯留スポンジ部１３を装填する場合を例に挙げる。高さ２０ｍｍ程度で、外径が６ｍｍ程度の円柱状の吸水スポンジ素材を厚み４ｍｍ程度に圧縮乾燥し固形化して、図３（Ｃ）に示すようなコイン形状の異方向性の貯留スポンジ部１３を形成する。これを３個準備し、当該貯留スポンジ部１３を開放口１６の側から手持ち部１２に装填する。貯留スポンジ部１３の厚みは手持ち部１２の管素材内で回転が防止できる程度であればよい。
【００４０】
もちろん、貯留スポンジ部１３の外径は６ｍｍに限定されることはなく、膨潤時、手持ち部１２の内壁に被着して移動不可とならない程度の太さまで許容できるものである。また、貯留スポンジ部１３は手持ち部１２を３分割するような長さに限定されることはなく、長さＬ＝６ｃｍの手持ち部１２と同等の長さを有した１本の吸水スポンジ素材であってもよい。その際の圧縮加工については、手持ち部１２と内径が等しく、一端に終端部を有した管素材に吸水スポンジ素材を装填して他方の側から圧縮し乾燥・固定化することで、異方向性を有した大容量の貯留スポンジ部１３を形成できるようになる。
【００４１】
例えば、手持ち部１２の管素材内において、３枚の乾燥圧縮状態のままの貯留スポンジ部１３をその異方向性を揃えて装填する。異方向性を揃えることによって、手持ち部１２内において、液体を含んだ貯留スポンジ部１３を一の方向へ順次膨潤させることができ、一の方向へ液体を順次移動できるようになる。これに対して、大容量の貯留スポンジ部１３の場合は異方向性を揃えるという作業を省略できるようになる。
【００４２】
次に、図３（Ｄ）に示す手持ち部１２に図３で準備した先端スポンジ部１１を取り付ける。この例では、先端スポンジ部１１の取り付け部１１ｂが貯留スポンジ部１３に接触するように手持ち部１２の開放口１６に取り付ける。これにより、先端スポンジ部１１と同じ機能を持つ貯留スポンジ部１３を、ストロー状に空洞化した手持ち部１２の内部で接触させた洗浄スポンジ具１００が完成する。
【００４３】
続いて、図４〜図６を参照して、洗浄スポンジ具１００の機能例について説明をする。図４（Ａ）及び（Ｂ）は、水を吸っていない状態の洗浄スポンジ具１００の上面及び側面から見た断面図であり、図４（Ｃ）は、水を吸った状態の側面から見た断面図である。
【００４４】
洗浄スポンジ具１００は、図４（Ａ）及び（Ｂ）に示すように、先端スポンジ部１１及び貯留スポンジ部１３が一の方向から圧縮されて乾燥した状態及び、図４（Ｃ）に示すように当該先端スポンジ部１１及び貯留スポンジ部１３が一の方向へ延びて膨潤した状態の２つの姿態を有するものである。
【００４５】
このように、図４（Ａ）及び（Ｂ）に示した乾燥圧縮状態の先端スポンジ部１１及び貯留スポンジ部１３が液体を吸い取る前の状態と、図４（Ｃ）に示した含水膨潤状態の先端スポンジ部１１及び貯留スポンジ部１３が液体を吸い取った後の貯留状態とで、洗浄スポンジ具１００の使用前後の状態を容易に見分けることができる。
【００４６】
続いて、図５（Ａ）〜（Ｄ）を参照して、洗浄スポンジ具１００の吸水量の確認例について説明をする。この例では、手持ち部１２は内部が透けて見える管素材から構成されるものである。例えば、管素材をストロー状の素材として、透明または半透明とした。図５（Ａ）は洗浄スポンジ具１００の使用前の状態である。この状態は図４（Ａ）及び（Ｂ）に示した通りである。
【００４７】
図５（Ｂ）は洗浄スポンジ具１００の使用開始後、液体が先端部１１ａ及び取り付け部１１ｂに膨潤した状態である。この状態によれば、先端部１１ａがｚ方向に膨潤して斜面付きの三角柱状を成す（図３（Ａ）参照）。取り付け部１１ｂは１個目の貯留スポンジ部１３に押圧してｘ方向に膨潤する。図中、白抜き三角印は容量確認指標であり、例えば、取り付け部１１ｂと１個目の貯留スポンジ部１３との境界付近で液体の移動状況が確認できる位置である。手持ち部１２のほぼ全体容量を示す位置である。手持ち部１２が液体を収容できる許容容量を示している。
【００４８】
図５（Ｃ）は洗浄スポンジ具１００の更なる使用後、１個目の貯留スポンジ部１３及び２個目の貯留スポンジ部１３の半分が液体で膨潤してｘ方向に移動した状態である。図中、白抜き三角印から、１個目の貯留スポンジ部１３との境界付近で液体の移動状況が確認できる位置である。手持ち部１２が液体を収容した半分の容量を示す位置である。この位置から収容可能な残り半分の容量を示している。
【００４９】
図５（Ｄ）は洗浄スポンジ具１００の更なる使用後、３個全ての貯留スポンジ部１３が液体で膨潤してｘ方向に移動し、３個目の貯留スポンジ部１３が手持ち部１２の終端部に到達した状態である。これらにより、先端スポンジ部１１から吸水された液体が手持ち部１２の貯留スポンジ部１３に移動したとき、順次、後段の貯留スポンジ部１３が後方に膨潤するようになる。従って、どの程度の液体が吸水され、残りどの程度の吸水が可能であるかを視認できるようになる。
【００５０】
ここで、図５（Ｄ）に示す手持ち部１２の管素材（ストロー等）の内径φを６ｍｍとし、長さＬを現在の楊枝状の持ち手の長さと同等の６ｃｍとした場合、その吸水量は約１．７ｍｌとなる。従来方式では吸水率が０．２ｍｌ〜０．３ｍｌ程度であり、従来方式の洗浄スポンジ具の５〜８倍の吸水量となる。このため、現状の吸水量不足という問題を解決できるようになった。
【００５１】
ここで、図６を参照して、洗浄スポンジ具１００内の液体の排出例について説明をする。この例では、手持ち部１２の管素材が可逆性及び可撓性のいずれか一方の性質を有したフレキシブル管から構成されている。このことから、図６に示す手持ち部１２の外部から力を加えることで管素材を押し潰せるようになる。
【００５２】
このような管素材を使用したことで、手持ち部１２の後端の排出口１５から、当該手持ち部１２（貯水タンク）内に溜まった液体を簡単に排出できるようになる。このため、従来方式のように他の布等に押し当て、吸水スポンジの液体量を調整することや、繊維や異物が吸水スポンジに付着していないか等の余計な手間と確認が必要なくなる。
【００５３】
次に、図７（Ａ）及び（Ｂ）を参照して、変形例としての洗浄スポンジ具２００の構成例について説明する。図７（Ａ）に示す洗浄スポンジ具２００は洗浄スポンジ具１００に比べて先端スポンジ部２１の幅が狭いものである。先端部２１ａが細く、取り付け部２１ｂが洗浄スポンジ具１００の取り付け部１１ｂと同じ太さのものである。洗浄スポンジ具２００は狭い患部の洗浄に使用して好適である。
【００５４】
先端部２１ａについては、今までのように先端が膨らむ形態のものではなく、吸水スポンジの膨潤率の小さい（少ない）素材を使用することで、より小さい先端スポンジ部２１とすることが可能となる。もちろん、吸水スポンジの大きさを変えずに、その硬さを変えてもよい。図７（Ｂ）に示す他の構成は、洗浄スポンジ具１００の手持ち部１２や貯留スポンジ部１３等と同じ構成及び同じ機能を有するため、その説明を省略する。
【００５５】
顕微鏡下の眼科手術によれば、洗浄スポンジ具２００が液体を含んで膨脹しても、洗浄スポンジ具１００に比べて膨張体積を小さく抑えることができるので、該当患部の視認性の低下を防止できるようになる。これにより、施術者にとって、手術の際の視認性を向上できるようになる。
【００５６】
また、図８（Ａ）及び（Ｂ）を参照して、他の変形例としての洗浄スポンジ具３００の構成例について説明する。図８（Ａ）に示す洗浄スポンジ具３００は、乾燥圧縮状態の先端スポンジ部３１が洗浄スポンジ具１００の乾燥圧縮状態の先端スポンジ部１１と同じ形状を有している。図８（Ｂ）に示すように、先端スポンジ部３１を構成する吸水スポンジが一の方向へ延びて膨潤した状態において、当該吸水スポンジを貫通する窓部１４が設けられる。
【００５７】
窓部１４を設けることによって、先端スポンジ部３１の体積が開口前に比べて小さくなっても、手持ち部１２に貯留スポンジ部１３を設けているので、吸水量を低下させることが無い。もちろん、窓部１４から当該窓部１４の対向側の患部が見通せるので、患部の状態を見ながら洗浄（含水）作業を行うことができる。
【００５８】
例えば、眼球に表面に沿って洗浄スポンジ具１００等を優しく滑らせる感じで洗浄水を吸い取る。このことで、先端スポンジ部１１で吸水した液体を手持ち部１２の内部の貯留スポンジ部１３に移動させる方法を採ることができる。この方法であれば、吸水した液体をポンプ等で別の場所に吸い取り移動させるためのホースまたはチューブ等を必要としないため動作性を低下させてしまう事が無い。
【００５９】
この方法を採ると、先端スポンジ部１１の吸水性は、手持ち部１２の貯留スポンジ部１３の吸水率が限界となるまで、吸水作業を拡大できるようになる。このため、施術者の視認性を確保するために、従来方式に比べて先端スポンジ部１１を小さく（細く）設計できるようになる。また、施術中、従来方式のように何本もの洗浄スポンジ具４００が必要となる事態が回避できるようになる。
【００６０】
このように、実施形態としての洗浄スポンジ具１００によれば、先端スポンジ部１１に接触するように貯留スポンジ部１３が手持ち部１２内に装填され、液体を吸着するようになされる。
【００６１】
この構成によって、先端スポンジ部１１から吸着した液体を手持ち部１２によって蓄積できるので、従来方式の洗浄スポンジ具１００に比べて数倍の液体を吸収できるようになる。これにより、手術中の洗浄スポンジ具１００の交換回数を大幅に低減できるようになる。
【００６２】
上述した洗浄スポンジ具１００によれば、手持ち部１２の外部からその内部の貯留スポンジ部１３の含水状態が見えるので、手持ち部１２の含水状態を確認しながら洗浄（含水）作業を行うことができる。
【００６３】
また、洗浄スポンジ具１００によれば、先端スポンジ部１１から吸水され貯留スポンジ部１３に溜まった液体は、先端スポンジ部１１の側から後端の排出口１５に向けて、外部からフレキシブル管（管素材）を押し潰すことで、その内部で貯留スポンジ部１３に含まれていた液体を外部へ廃棄できるようになる。このため、何度も手持ち部１２内の貯留スポンジ部１３を使用できるようになる。
【００６４】
また、洗浄スポンジ具１００の製造方法によれば、異方向性の貯留スポンジ部１３を筒状の手持ち部１２に装填した後に、異方向性の先端スポンジ部１１が開放口１６の側から当該貯留スポンジ部１３に接触するように手持ち部１２内に装填するようになされる。
【００６５】
この構成によって、先端スポンジ部１１から吸着した液体を手持ち部１２内に蓄積可能な洗浄スポンジ具１００を再現性良く製造できるようになる。これにより、洗浄水等を大量に吸い取り可能な洗浄スポンジ具１００を提供できるようになる。
【００６６】
なお、手持ち部１２の終端を絞り加工せずに、全開放形態を採る場合は、先端スポンジ部１１及び貯留スポンジ部１３の装填・取り付け順序を変更してもよい。例えば、先端スポンジ部１１を筒状の手持ち部１２に先に取り付けた後に、貯留スポンジ部１３が当該先端スポンジ部１１に接触するように手持ち部１２内に装填する方法を採ってもよい。また、従来方式の吸水装置（ＵＳＰ）の鎌状部分に、本発明の手持ち部１２を流用することが可能である。
【産業上の利用可能性】
【００６７】
本発明は、顕微鏡を使用して行う眼科手術等において、その手術中に生じる血液や、該当部位の洗浄等に使用された洗浄水を吸い取る医療用の洗浄スポンジ具に適用して極めて好適である。
【符号の説明】
【００６８】
１１  先端スポンジ部（第１の吸液部材）
１２  手持ち部（貯留部材）
１３  貯留スポンジ部（第２の吸液部材）
１４  窓部
１５  排出口
１６  開放口
１００  洗浄スポンジ具（洗浄吸液具）
【要約】
【課題】  従来方式の洗浄スポンジ具に比べて数倍の液体を吸収できるようにすると共に、手術中の洗浄スポンジ具の交換回数を大幅に低減できるようにする。
【解決手段】液体を吸い取る先端スポンジ部１１と、先端スポンジ部１１に取り付けられた筒状の手持ち部１２と、先端スポンジ部１１に接触するように手持ち部１２内に装填され、液体を吸着する貯留スポンジ部１３とを備える。先端スポンジ部１１及び貯留スポンジ部１３とが異方向性の吸水スポンジから構成されるものである。
【選択図】      図１【図１】
0005592575.tif 000002
【図２】
0005592575.tif 000003
【図３】
0005592575.tif 000004
【図４】
0005592575.tif 000005
【図５】
0005592575.tif 000006
【図６】
0005592575.tif 000007
【図７】
0005592575.tif 000008
【図８】
0005592575.tif 000009
【図９】
0005592575.tif 000010